(57)【特許請求の範囲】
【請求項１】
情報コードと、前記情報コードを読み取り可能であって通信網に接続可能な携帯端末と、前記通信網に接続された公開サイト及び前記携帯端末と接続可能な管理サーバと、を用いて利用者に情報を提供する情報提供システムであって、
前記情報コードは、
公開領域と、暗号化キーに基づいて暗号化された暗号データが記録された非公開領域とを有する一部非公開コードであり、
前記公開領域には前記公開サイトのアドレス情報と所定情報とが少なくとも記録されており、前記非公開領域には前記管理サーバのアドレス情報が少なくとも記録されており、
前記携帯端末は、
前記一部非公開コードを撮像可能な撮像手段と、
前記暗号化キーに対応する解読キーを記憶可能な解読キー記憶手段と、
前記撮像手段によって前記一部非公開コードが撮像された場合に、前記公開領域のデータを解読する解読手段と、
前記公開領域に記録された前記所定情報を検出する所定情報検出手段と、
前記管理サーバを含む通信網に接続可能な携帯側接続手段と、
少なくとも前記管理サーバからの情報を表示可能な表示手段と、
外部操作可能な操作手段と、
を備え、
前記解読手段は、前記所定情報検出手段によって前記所定情報が検出され、前記解読キー記憶手段に前記解読キーが記憶されていることを条件として前記非公開領域のデータを解読し、
前記携帯側接続手段は、前記管理サーバのアドレス情報が前記解読手段により解読された場合に前記管理サーバに接続するとともに、前記公開領域に記憶されている前記公開サイトのアドレス情報を該管理サーバへ送信し、
前記管理サーバは、
前記公開サイト及び前記携帯端末と接続可能な管理サーバ側接続手段と、
前記公開サイトの情報を加工する加工手段と、
を備え、
前記管理サーバ側接続手段は、前記携帯端末から送信された前記公開サイトのアドレス情報に基づいて当該公開サイトに接続すると共に、当該公開サイトで公開される表示情報を取得し、
前記加工手段は、前記管理サーバ側接続手段が取得した前記公開サイトの表示情報を、前記携帯端末の前記表示手段に表示可能となる表示データに加工し、
前記管理サーバ側接続手段は、前記加工手段によって前記表示データが生成された場合に当該表示データを前記携帯端末に送信し、
前記携帯端末の前記表示手段は、前記管理サーバ側接続手段により前記表示データが送信されたときに、前記表示データに基づく情報を表示し、
前記携帯側接続手段は、前記表示手段によって前記表示データに基づく情報が表示された後に前記操作手段によって当該表示データで特定される前記公開サイトへの接続が指示された場合に、前記公開サイトで公開される前記表示情報を取得することを特徴とする情報提供システム。
【請求項２】
前記携帯端末の前記携帯側接続手段は、前記解読手段により前記非公開領域に記憶されている前記管理サーバのアドレス情報が取得された場合に、前記操作手段による外部操作を条件とせず利用者への確認を省略して自動的に前記管理サーバに接続し、
前記表示手段は、前記管理サーバから前記表示データを受信した場合に、前記操作手段による外部操作を条件とせず利用者への確認を省略して自動的に前記表示データに基づく情報を表示することを特徴とする請求項１に記載の情報提供システム。
【請求項３】
前記管理サーバ側には、
前記公開サイトに接続可能な管理用携帯端末と、
当該管理サーバが前記公開サイトへ接続を試みたときに接続が拒否されたか否かを判断する判断手段と、
が設けられ、
前記管理用携帯端末は、前記判断手段により前記公開サイトへの接続が拒否されたと判断された場合に、前記公開サイトのアドレス情報に基づいて当該公開サイトに接続し、且つ当該公開サイトの表示情報を取得し、
前記加工手段は、前記管理用携帯端末が前記公開サイトの表示情報を取得した場合に、当該表示情報に基づいて前記表示データを生成することを特徴とする請求項１又は請求項２に記載の情報提供システム。
【請求項４】
前記管理サーバは、同一の携帯端末から同一の公開サイトのアドレス情報を、所定回数を超えて受信したか否かを判定する判定手段を備え、
前記管理サーバ側接続手段は、前記判定手段により前記所定回数を超えて受信したと判定された場合に、前記加工手段によって生成された前記表示データの送信を省略し、
前記携帯側接続手段は、前記管理サーバ側接続手段によって前記表示データの送信が省略された場合に、前記公開サイトで公開される前記表示情報を取得することを特徴とする請求項１から請求項３のいずれか一項に記載の情報提供システム。
【発明の詳細な説明】
【技術分野】
【０００１】
本発明は、情報提供システムに関するものである。
【背景技術】
【０００２】
従来、アドレス情報などが含まれる情報コードを携帯電話などの携帯端末で読み取り、読み取った情報に基づき通信網に接続された公開サイトへ接続し、所定の情報の提供を受ける技術が知られている。例えば、このような技術としては、下記特許文献１、２のようなものが提供されている。
【０００３】
特許文献１には、２次元コードが示す接続先に接続する機能を備えた携帯形通信端末を利用した情報提供サービスが記載されている。この技術では、まず、広告依頼主が、広告媒体に商品或いはサービスの広告と共に広告内容を識別するための広告識別情報及び接続情報を含んで構成される広告内容識別情報を示す２次元コードを印刷する。次に、広告を見た利用者が商品或いはサービスの詳細を知りたいときに、広告媒体に印刷されている２次元コードを読取手段で読取り、携帯形通信端末により２次元コードが示す接続情報に基づいてサーバにアクセスして広告識別情報を送信する。そして、サーバにおいて、この広告内容識別情報を受信したときに、その広告内容識別情報に基づいて新たな広告情報を携帯形通信端末に送信することで、利用者は、商品或いはサービスに関する詳細情報を知ることができるようになっている。
【０００４】
また、特許文献２には、インターネットを介してカタログ掲載商品の注文を行うためのカタログ商品注文方法が記載されている。この技術では、カタログ（３０）中に、掲載された商品毎に、商品識別部（３３）が設けられており、この商品識別部（３３）には、その商品の商品識別コードを情報として持つ２次元コードが印刷されている。また、この２次元コードには、メーカ管理装置１を示すＵＲＬ（Uniform Resource Locator)と商品名とが情報として含まれている。そして、カタログ（３０）に印刷された２次元コードを、携帯電話機で読み取って、受注システムに送信するようにしている。
【先行技術文献】
【特許文献】
【０００５】
【特許文献１】特許第３８８８０４９号公報
【特許文献２】特許第４０８３０９５号公報
【発明の概要】
【発明が解決しようとする課題】
【０００６】
ところで、アドレス情報などが含まれる情報コードを、例えば、駅や街中など公共の場などに貼られている広告ポスターなどの広告媒体に付加することがある。そして、この広告を見た利用者（一般消費者等）が、この情報コードを携帯端末で読み取ることで、広告主が提供する所定の公開サイトへ容易に接続を行えるようになっている。
【０００７】
ところが、このように公共の場などでは、誰もがアクセス可能であるがゆえ、例えば悪意を持った者が、上記広告媒体で予め表示されていた正規の情報コードを、当該広告媒体とは関係のない不正な情報コードに貼り替えてしまうという問題を排除し得なかった。このように正規の情報コードが不正な情報コードに貼り替えられてしまうと、広告を見た利用者が、貼り替えられた不正な情報コードに気がつかずに携帯端末を操作して不正な情報コードを読み取り、広告の内容とは関係の無い公開サイトや、正規の公開サイトに似せた「なりすまし」公開サイトにアクセスしてしまう場合があった。つまり、広告を信頼して当該広告に関連するサイトにアクセスしようとした利用者が広告とは関係のない不正なサイト等に誘導されてしまう虞があり、このような不正な誘導から利用者を保護する技術が求められている。
【０００８】
一方、従来から提供されている技術は、このような不正な貼り替えを想定したものではなく、上記問題を解消することができなかった。例えば、上記特許文献１の技術では、広告媒体に付与された情報コードが正規であるか否かにかかわらず、その２次元コードが示す接続情報に基づいてサーバに接続してしまうため、不正に貼り替えられた情報コードを読み取った場合には不正なサイトへの接続を余儀なくされてしまい、利用者を保護することが難しかった。また、特許文献２の技術は、店舗等で固有に用いられるカタログ内に情報コードを印刷しておき、この情報コードを読取装置で読み取って注文等を行おうとするものであるため、上記問題が生じにくく、この問題を解消するものでもなかった。
【０００９】
本発明は、上述した課題を解決するためになされたものであり、不正な情報コードから利用者を保護可能な情報提供システムを提供することを目的とする。
【課題を解決するための手段】
【００１０】
本発明は、情報コードと、前記情報コードを読み取り可能であって通信網に接続可能な携帯端末と、前記通信網に接続された公開サイト及び前記携帯端末と接続可能な管理サーバと、を用いて利用者に情報を提供する情報提供システムであって、前記情報コードは、公開領域と、暗号化キーに基づいて暗号化された暗号データが記録された非公開領域とを有する一部非公開コードであり、前記公開領域には前記公開サイトのアドレス情報と所定情報とが少なくとも記録されており、前記非公開領域には前記管理サーバのアドレス情報が少なくとも記録されており、前記携帯端末は、前記一部非公開コードを撮像可能な撮像手段と、前記暗号化キーに対応する解読キーを記憶可能な解読キー記憶手段と、前記撮像手段によって前記一部非公開コードが撮像された場合に、前記公開領域のデータを解読する解読手段と、前記公開領域に記録された前記所定情報を検出する所定情報検出手段と、前記管理サーバを含む通信網に接続可能な携帯側接続手段と、少なくとも前記管理サーバからの情報を表示可能な表示手段と、外部操作可能な操作手段と、を備え、前記解読手段は、前記所定情報検出手段によって前記所定情報が検出され、前記解読キー記憶手段に前記解読キーが記憶されていることを条件として前記非公開領域のデータを解読し、前記携帯側接続手段は、前記管理サーバのアドレス情報が前記解読手段により解読された場合に前記管理サーバに接続するとともに、前記公開領域に記憶されている前記公開サイトのアドレス情報を該管理サーバへ送信し、前記管理サーバは、前記公開サイト及び前記携帯端末と接続可能な管理サーバ側接続手段と、前記公開サイトの情報を加工する加工手段と、を備え、前記管理サーバ側接続手段は、前記携帯端末から送信された前記公開サイトのアドレス情報に基づいて当該公開サイトに接続すると共に、当該公開サイトで公開される表示情報を取得し、前記加工手段は、前記管理サーバ側接続手段が取得した前記公開サイトの表示情報を、前記携帯端末の前記表示手段に表示可能となる表示データに加工し、前記管理サーバ側接続手段は、前記加工手段によって前記表示データが生成された場合に当該表示データを前記携帯端末に送信し、前記携帯端末の前記表示手段は、前記管理サーバ側接続手段により前記表示データが送信されたときに、前記表示データに基づく情報を表示し、前記携帯側接続手段は、前記表示手段によって前記表示データに基づく情報が表示された後に前記操作手段によって当該表示データで特定される前記公開サイトへの接続が指示された場合に、前記公開サイトで公開される前記表示情報を取得することを特徴とする。
【発明の効果】
【００１１】
請求項１の発明では、情報コードの公開領域には公開サイトのアドレス情報が記録されており、非公開領域に管理サーバのアドレス情報が記録されている。また、携帯端末は、管理サーバのアドレス情報が解読された場合に管理サーバに接続するとともに、公開領域に記憶されている公開サイトのアドレス情報を該管理サーバへ送信するようにしている。そして、管理サーバは、携帯端末から送信された公開サイトのアドレス情報に基づいて当該公開サイトに接続すると共に、当該公開サイトで公開される表示情報を取得して加工し携帯端末に送信し、携帯端末は、この受信した情報（表示データ）を表示手段に表示するようにしている。
【００１２】
この構成では、利用者が携帯端末から公開サイトへ接続する前に、この公開サイトの情報が管理サーバにより予め取得されて携帯端末の表示手段に表示されるようになっている。このため、利用者は、接続しようとする公開サイトの情報を、該公開サイトへ接続する前に予め確認することができる。したがって、不正な公開サイト（当該情報コードが付された広告等の内容とは関係の無い公開サイトや、正規の公開サイトに似せた「なりすまし」公開サイト）への接続を未然に防ぐことができ、不正な情報コードから利用者を保護することができる。さらに、管理サーバのアドレス情報は、情報コードの非公開領域に記録されているので、管理サーバの情報が外部に晒される虞がなく、セキュリティ性を高めることができる。
【００１３】
請求項２の発明では、携帯端末は、非公開領域に記憶されている管理サーバのアドレス情報が取得された場合に、操作手段による外部操作を条件とせず利用者への確認を省略して自動的に管理サーバに接続するようにしている。さらに、携帯端末では、管理サーバから表示データを受信した場合に、操作手段による外部操作を条件とせず利用者への確認を省略して自動的に表示データに基づく情報を表示手段に表示するようにしている。
このように、携帯端末では、一部非公開コードを読み取ると、利用者への確認を省略して自動的に公開サイトの情報を表示手段に表示するようにしているので、携帯端末の利用者の利便性を図ることができる。また、管理サーバの存在が第３者（例えば悪意を持った者）に知られ難いため、セキュリティ性をより高めることができる。
【００１４】
請求項３の発明では、管理サーバ側には、公開サイトに接続可能な管理用携帯端末と、当該管理サーバが公開サイトへ接続を試みたときに接続が拒否されたか否かを判断する判断手段とが設けられている。また、管理用携帯端末は、判断手段により公開サイトへの接続が拒否されたと判断された場合に、公開サイトのアドレス情報に基づいて当該公開サイトに接続し、且つ当該公開サイトの表示情報を取得するようにしている。さらに、管理サーバでは、管理用携帯端末が公開サイトの表示情報を取得した場合に、当該表示情報に基づいて表示データを生成するようにしている。
この構成によれば、利用者が接続しようとする公開サイトが携帯端末向けの専用サイト（いわゆる携帯専用サイト）であり、管理サーバがこの公開サイトへ接続を試みたときに接続が拒否された場合でも、管理サーバ側に設けられる管理用携帯端末により当該公開サイトの表示情報を確実に取得することができるため、携帯端末の利用者の利便性をより図ると共に、不正な情報コードから利用者を保護することがより可能となる。
【００１５】
請求項４の発明では、管理サーバは、同一の携帯端末から同一の公開サイトのアドレス情報を、所定回数を超えて受信したと判定手段により判定された場合に、加工手段によって生成された表示データの送信を省略するようにしている。さらに、携帯端末では、管理サーバによる表示データの送信が省略された場合に、携帯側接続手段によって公開サイトで公開される表示情報を取得するようにしている。
この構成では、同一の携帯端末から、同一の公開サイトへ頻度高く（所定回数を超えて）接続されている場合には、その公開サイトが適正なサイトであるとみなし、管理サーバ側から携帯端末側への表示データの送信を省略するようにしている。これにより、不正な情報コードから利用者を保護しつつ、管理サーバと携帯端末の負荷を減らすことができ、携帯端末の利用者の利便性をより図ることができる。
【図面の簡単な説明】
【００１６】
【図１】図１は、第１実施形態に係る情報提供システムを概念的に説明する説明図である。
【図２】図２は、第１実施形態に係る情報提供システムで用いられる一部非公開コードを概略的に説明する説明図である。
【図３】図３は、一部非公開コードのデータ構成を例示する説明図である。
【図４】図４は、図１の情報提供システムで用いられる携帯端末を概略的に例示するブロック図である。
【図５】図５は、図１の情報提供システムで用いられる携帯端末における記憶部内の構成を概念的に説明する説明図である。
【図６】図６は、図１の情報提供システムで用いられる管理サーバを概略的に例示するブロック図である。
【図７】図７は、第１実施形態に係る情報提供システムで行われる公開サイトへの接続処理の流れを例示するフローチャートである。
【図８】図８は、携帯端末の表示部に表示される表示データの一例を示す図である。
【図９】図９は、携帯端末の表示部に表示される表示データの一例を示す図である。
【図１０】図１０は、第１実施形態に係る情報提供システムを概念的に説明する説明図であり、管理サーバが公開サイトへ接続を試みたときに、接続が拒否された場合の流れを例示する図である。
【発明を実施するための形態】
【００１７】
[第１実施形態]
以下、本発明に係る情報提供システムを具現化した第１実施形態について、図面を参照して説明する。
【００１８】
（全体構成）
図１は、第１実施形態に係る情報提供システムを概念的に説明する説明図である。図２は、第１実施形態に係る情報提供システムで用いられる一部非公開コードを概略的に説明する説明図である。図３は、一部非公開コードのデータ構成を例示する説明図である。図４は、図１の情報提供システムで用いられる携帯端末を概略的に例示するブロック図である。図５は、携帯端末１０における記憶部１５内の構成を概念的に説明する説明図である。図６は、図１の情報提供システムで用いられる管理サーバを概略的に例示するブロック図である。
【００１９】
図１に示すように、本実施形態に係る情報提供システム１は、情報コードＣと、情報コードＣを読み取り可能であって通信網に接続可能な携帯端末１０と、通信網に接続された公開サイト及び携帯端末１０と接続可能な管理サーバ２とを用いて携帯端末１０の利用者に情報を提供するようにしている。この情報提供システム１では、例えば、駅や街中など公共の場などに貼られている広告ポスターなどの広告媒体に、広告主が提供する所定の公開サイトへ接続するためのアドレス情報が記録された情報コードＣが付されており、広告媒体に興味を持った利用者などが携帯端末１０を介して、広告主から所定の情報の提供を受けることができるようになっている。
【００２０】
（情報コードの構成）
情報コードＣは、公開領域と、暗号化キーに基づいて暗号化された暗号データが記録された非公開領域とを有する一部非公開コードから構成されている。以下、情報コードＣを「一部非公開コードＣ」ともいう。一部非公開コードＣは、図２に示すように、暗号化キーを用いずに読み取りが可能となる非暗号化データ（公開データ）が記録される公開領域Ｃａと、暗号化キーによって暗号化された暗号化データ（非公開データ）が記録される非公開領域Ｃｂと、誤り訂正符号が記録される誤り訂正領域とを備えている。更に、本実施形態では、公開領域Ｃａには公開サイトのアドレス情報（ＵＲＬ）と後述する連携識別子（所定情報）とが少なくとも記録されており、非公開領域Ｃｂには管理サーバ２のアドレス情報（ＵＲＬ）が少なくとも記録されている。
【００２１】
次に、一部非公開コードＣのデータ構成について説明する。図３は、一部非公開コードＣのデータ構成を例示する説明図である。例えば、特開２００９−９５４７公報、特開２００８−２９９４２２公報などに開示された技術を好適に用いることができる。図３には、これら公報の技術を用いた場合の一部非公開コードＣのデータ構成を例示しており、このうち、「公開データ」は、公開サイトのアドレス情報などの開示データをＪＩＳの基本仕様（ＪＩＳＸ０５１０：２００４）に従って符号化したものである。また、「非公開データ」は、暗号データをＪＩＳの基本仕様（ＪＩＳＸ０５１０：２００４）に従って符号化したものであり、本実施形態では、管理サーバ２のアドレス情報などが記録されている。
【００２２】
なお、一部非公開コードＣの生成方法や生成される一部非公開コードＣの具体的構成はこの例に限られるものではなく、一部領域に暗号化データを記録し、他の領域に非暗号化データを記録した二次元コードを生成可能な方法であれば、これら公報に記載された方法以外の方法で生成されていてもよい。
【００２３】
更に、本実施形態で用いられる一部非公開コードＣは、公開領域Ｃａに記録されるデータ内において所定位置（図３の例では公開領域の終わりを示す終端子の直前）にＵＲＬ連携識別子（所定情報）が設けられている。そして、先頭から終端子までのデータを公知のＱＲコードと同様の方法で読み取り、その後、所定位置にＵＲＬ連携識別子があるか否かを判断し、ＵＲＬ連携識別子が存在する場合には、そのＵＲＬ連携識別子の後に続く非公開領域のデータを読み取ることになる。この非公開領域のデータは上述したように暗号化キーによって暗号化されているため、携帯端末１０内に暗号化キーに対応する解読キーが存在する場合のみ解読できる。
【００２４】
（携帯端末の構成）
携帯端末１０は、情報処理機能を有する携帯型通信装置（例えば携帯電話機等）として構成されるものであり、図４に示すように、ＣＰＵからなる制御部１１、受光センサ（例えば、Ｃ−ＭＯＳエリアセンサ、ＣＣＤエリアセンサ等）を備えたカメラとして構成される撮像部１２、液晶表示器などからなる表示部１３、各種操作キー（図示略）によって構成される操作部１４、ＲＯＭ，ＲＡＭ、不揮発性メモリなどからなる記憶部１５、インターネット等の通信網を介して通信を行う通信インターフェースとして構成される通信部１６などを備えている。なお、図１では、１つの携帯端末１０を代表的に例示しているが、通信網に接続される携帯端末１０の数は特に限定されず、多数の携帯端末１０が接続される構成でシステムを構築することができる。
【００２５】
撮像部１２は、一部非公開コードＣを撮像可能であり、「撮像手段」の一例に相当する。表示部１３は、少なくとも管理サーバ２からの情報を表示可能であり、「表示手段」の一例に相当する。操作部１４は、制御部１１に対して操作信号を与える構成をなしており、外部操作可能となっており、「操作手段」の一例に相当する。記憶部１５は、暗号化キーに対応する解読キーを記憶可能となっており、「解読キー記憶手段」の一例に相当する。通信部１６は、管理サーバ２を含む通信網に接続可能であり、「携帯側接続手段」の一例に相当する。制御部１１は、撮像部１２によって一部非公開コードＣが撮像された場合に、一部非公開コードＣの公開領域に記録された所定情報を検出可能に構成されており、「所定情報検出手段」の一例に相当する。また、制御部１１は、所定情報を検出すると共に記憶部１５に解読キーが記憶されていることを条件として非公開領域のデータを解読するように構成されており、「解読手段」の一例に相当する。
【００２６】
なお、本実施形態では、携帯端末１０が一部非公開コードＣにおける非公開領域Ｃｂのデータを解読したときに、図５のように、記憶部１５における非アクセス領域に一時的に書き込まれるようになっている。図５の例では、記憶部１５において、ユーザによるアクセスが可能となるアクセス領域と、ユーザによるアクセスが制限された非アクセス領域とが設けられており、アドレス番号が００ｈ〜１０ｈの部分については非アクセス領域とされており、アドレス番号が１１ｈ以降の部分についてはアクセス領域とされている。そして、制御部１１によって所定情報が検出されて非公開領域Ｃｂのデータが解読されると、管理サーバ２のアドレス情報が非アクセス領域に一時的に書き込まれるようになっており、管理サーバ２との通信が終了するとこの非アクセル領域に書き込まれた情報が消去されるように構成されている。
【００２７】
なお、本実施形態の「アクセス領域」とは、携帯端末１０に対する外部操作（例えば操作部３４による操作）によって外部から読み取りが可能な領域であり、「非アクセス領域」は、操作部１４に対する外部操作（例えば操作部１４による操作）ではアクセスできない領域であってもよく、或いは特別のコマンドや特別なパスワードを条件として外部からアクセスが可能となる領域（即ち、特別のコマンド或いは特別なパスワードを知る者だけがアクセス可能となる領域）であってもよい。
【００２８】
（管理サーバの構成）
管理サーバ２は、例えばコンピュータとして構成され、図６に示すように、ＣＰＵ等からなる制御部３、液晶モニタ等として構成される表示部４、ＲＯＭ、ＲＡＭ、ＨＤＤ等からなる記憶部５、マウスやキーボード等として構成される操作部６、通信インターフェースとして構成される通信部７などを備えている。図１では、通信網に１つの管理サーバ２が接続される例を示したが、管理サーバ２の数は、図１の構成に限定されず、２つ以上であってもよい。そして、管理サーバ２の通信部７は、携帯端末１０から送信された公開サイトのアドレス情報に基づいて当該公開サイトに接続すると共に、当該公開サイトで公開される表示情報を取得するように構成されている。さらに、管理サーバ２の制御部３は、取得した公開サイトの表示情報を、携帯端末１０の表示部１３に表示可能となる表示データ（例えば、サムネイルなど公開サイトの表示情報よりも情報量が少ないデータ）に加工できるようになっている。なお、公開サイト及び携帯端末１０と接続可能な通信部７は、「管理サーバ側接続手段」の一例に相当する。また、公開サイトの情報を加工する制御部３は、「加工手段」の一例に相当する。
【００２９】
また、管理サーバ２側には、公開サイトに接続可能な管理用携帯端末２０が設けられている。この管理用携帯端末２０は、上述した携帯端末１０と同様の構成（図４の構成）を備えている。そして、管理サーバ２から公開サイトへの接続が拒否された場合に、管理サーバ２に代わって管理用携帯端末２０から公開サイトへ接続を行い、当該公開サイトの表示情報を取得するようになっている（詳細は後述）。
【００３０】
（公開サイトへの接続処理）
次に、読取装置２で行われる情報提供システム１について図１、図７〜図１０等を参照して説明する。なお、図７は、情報提供システム１で行われる公開サイトへの接続処理の流れを例示するフローチャートである。図８及び図９は、携帯端末の表示部に表示される表示データの一例を示す図である。図１０は、第１実施形態に係る情報提供システムを概念的に説明する説明図であり、管理サーバが公開サイトへ接続を試みたときに、接続が拒否された場合の流れを例示する図である。
【００３１】
まず、携帯端末１０の利用者により情報コードＣが撮像されて、当該情報コードＣの読み取りが開始される（ステップＳ１）。そして、情報コードＣの公開領域Ｃａに所定情報（ＵＲＬ連携識別子）が記録されている場合には、制御部１１によりこの所定情報の検出を行う。
【００３２】
このとき、ステップＳ２にて、所定情報が検出されなかった場合には（Ｓ２でＮｏ）、後述のステップＳ５からの処理がなされることなく、非公開領域Ｃｂ等を有しない通常の情報コードに対する読取処理がなされる。そして、携帯端末１０の表示部１３には、例えば、図８に示すような情報が表示される（ステップＳ３）。具体的に、情報コードＣの公開領域Ｃａに記録されている公開サイトのアドレス情報が表示されると共に、例えば「サムネイル未取得」といったメッセージが表示される。また、表示部１３には、「このサイトに接続しますか？」とのメッセージと、利用者に公開サイトへの接続可否を選択させる選択ボタン（例えば、「はい」及び「いいえ」）が表示されるようになっている。なお、このように情報コードＣの公開領域Ｃａに所定情報が記録されていない場合には、不正な公開サイト（信頼性の低い公開サイト）である可能性があるため、「サムネイル未取得」とのメッセージのほかに、その旨（例えば、「このサイトはセキュリティに問題がある可能性があります」など）のメッセージを表示し利用者に警告するようにしてもよい。
【００３３】
そして、利用者により公開サイトへの接続が指示されると（表示部１３において「はい」が選択されると）、携帯端末１０の通信部１６は、管理サーバ２を経由せずに公開サイトへ直接接続し、この公開サイトで公開される表示情報を取得して、当該接続処理が終了する（ステップＳ４）。一方、利用者により公開サイトへの接続中止の指示がなされると（表示部１３において「いいえ」が選択されると）、公開サイトへの接続が行われることなく、当該接続処理が終了する。
【００３４】
ステップＳ２にて、所定情報が検出された場合には（Ｓ２でＹｅｓ）、情報コードＣの暗号化キーに対応する解読キーが記憶部１５に記憶されていることを条件として、非公開領域Ｃｂのデータの読取処理を行い（ステップＳ５）、解読された管理サーバ２のアドレス情報などの非公開領域Ｃｂの情報を記憶部１５における非アクセス領域へ書き込む。
【００３５】
このように管理サーバのアドレス情報が解読（取得）された場合に、携帯端末１０の通信部１６は、管理サーバ２に接続し（ステップＳ６）、公開領域Ｃａに記録されている公開サイトのアドレス情報を管理サーバ２へ送信する（ステップＳ７）（図１中「（１）接続」の流れ）。なお、携帯端末１０の通信部１６は、操作部１４による外部操作を条件とせず利用者への確認を省略して自動的に管理サーバ２に接続されるようになっている。
【００３６】
公開サイトのアドレス情報を受信した管理サーバ２は、同一の携帯端末１０から同一の公開サイトのアドレス情報を、所定回数（例えば、１０回）を超えて受信したか否かを判定する（ステップＳ８）。そして、所定回数を超えて受信していないと判定されると（Ｓ８でＮｏ）、管理サーバ２の通信部７は、受信したアドレス情報に基づく所定の公開サイトへ接続を試みる（ステップＳ９）。なお、同一の携帯端末１０から同一の公開サイトのアドレス情報を、所定回数を超えて受信したか否かを判定する管理サーバ２の制御部３は、「判定手段」の一例に相当する。
【００３７】
さらに、ステップＳ１０にて、管理サーバ２が公開サイトへ接続を試みたときに接続が拒否されたか否かが判断される。ここで、接続が拒否されることなく公開サイトへ接続された場合には（ステップＳ１０でＮｏ）（図１中「（２）接続」の流れ）、この管理サーバ２は、この公開サイトで公開される表示情報を取得する（図１中「（３）情報取得」の流れ）。そして、管理サーバ２は、携帯端末１０の表示部１３に表示可能となる表示データに加工し、この表示データを携帯端末１０へ送信する（ステップＳ１１）。なお、公開サイトへ接続を試みたときに接続が拒否されたか否かを判断する管理部２の制御部３は、「判断手段」の一例に相当する。
【００３８】
管理サーバ２から送信された表示データを受信した携帯端末１０は、例えば図９に示すように、この表示データに基づく情報をサムネイルＴとして表示部１３に表示する（ステップＳ１２）（図１中「（４）表示」の流れ）。また、表示部１３には、公開サイトのアドレス情報が表示されると共に、「このサイトに接続しますか？」とのメッセージと、利用者に公開サイトへの接続可否を選択させる選択ボタン（例えば、「はい」及び「いいえ」）が表示されるようになっている。なお、携帯端末１０の表示部１３は、管理サーバ２から表示データを受信した場合に、操作部１４による外部操作を条件とせず利用者への確認を省略して、自動的に表示データに基づく情報を表示するようになっている。
【００３９】
そして、表示データで特定される公開サイトへの接続が利用者により指示されると（表示部１３において「はい」が選択されると）（ステップＳ１３）、携帯端末１０の通信部１６は公開サイトへ接続し、この公開サイトで公開される表示情報を取得する（ステップＳ１４）。そして、記憶部１５の非アクセス領域内に書き込まれた管理サーバ２のアドレス情報などの情報が消去され（ステップＳ１５）、当該接続処理が終了する。
【００４０】
一方、利用者により公開サイトへの接続中止の指示がなされると（表示部１３において「いいえ」が選択されると）（Ｓ１３でＮｏ）、公開サイトへの接続が行われることなく、記憶部１５の非アクセス領域内に書き込まれた管理サーバ２のアドレス情報などの情報が消去され（ステップＳ１５）、当該接続処理が終了する。
【００４１】
なお、上述のステップＳ８にて、管理サーバ２が同一の携帯端末１０から同一の公開サイトのアドレス情報を、所定回数を超えて受信したと判定されると、（Ｓ８でＹｅｓ）、ステップＳ９〜Ｓ１２の処理が省略されて、ステップＳ１３からの処理が行われるようになっている。すなわち、管理サーバ２の通信部７は、同一の携帯端末１０から同一の公開サイトのアドレス情報を、所定回数を超えて受信したと判定された場合には（その公開サイトへある程度（例えば１０回）の接続実績（接続履歴）がある場合には）、公開サイトで公開される表示情報の取得及び表示データの生成を行わないと共に、携帯端末１０への表示データの送信を省略するようになっている。このように管理サーバ２からの表示データの送信が省略された場合に、携帯端末１０では、図８に示したような情報が表示される。そして、利用者により公開サイトへの接続が指示されると（表示部１３において「はい」が選択されると）携帯端末１０の通信部１６から公開サイトに直接接続され、この公開サイトで公開される表示情報が取得されるようになっている。
【００４２】
また、ステップＳ１０にて、管理サーバ２が公開サイトへ接続を試みたときに接続が拒否された場合には（ステップＳ１０でＹｅｓ）（図１０中「（３）拒否」の流れ）、管理サーバ２から管理用携帯端末２０に、公開サイトのアドレス情報が転送される（ステップＳ１６）（図１０中「（４）接続」の流れ）。そして、この公開サイトのアドレス情報を受信した管理用携帯端末２０は、このアドレス情報に基づき公開サイトへ接続し（図１０中「（５）接続」の流れ）、公開サイトの表示情報を取得する（ステップＳ１７）（図１０中「（６）情報取得」の流れ）。さらに、管理用携帯端末２０は、この取得した公開サイトの表示情報を管理サーバ２へ転送する（ステップＳ１８）。そして、上述したステップＳ１１にて、管理サーバ２でこの表示情報が取得されて（図１０中「（７）情報取得」の流れ）、表示データに加工し、この表示データを携帯端末１０へ送信する（ステップＳ１１）。そして、この表示データを受信した携帯端末１０は、この表示データに基づく情報をサムネイルＴとして表示部１３に表示する（ステップＳ１２）（図１０中「（８）表示」の流れ）。そして、上述したように、ステップ１３〜１５の処理がなされ、当該接続処理が終了する。
【００４３】
以上説明したように、本第１実施形態に係る情報提供システム１では、情報コードＣの公開領域Ｃａには公開サイトのアドレス情報が記録されており、非公開領域Ｃｂに管理サーバ２のアドレス情報が記録されている。また、携帯端末１０は、管理サーバ２のアドレス情報が解読された場合に管理サーバ２に接続するとともに、公開領域Ｃａに記憶されている公開サイトのアドレス情報を該管理サーバ２へ送信するようにしている。そして、管理サーバ２は、携帯端末１０から送信された公開サイトのアドレス情報に基づいて当該公開サイトに接続すると共に、当該公開サイトで公開される表示情報を取得して加工し携帯端末１０に送信し、携帯端末１０は、この受信した情報（表示データ）を表示部１３に表示するようにしている。
【００４４】
この構成では、利用者が携帯端末１０から公開サイトへ接続する前に、この公開サイトの情報が管理サーバ２により予め取得されて携帯端末１０の表示部１３に表示されるようになっている。このため、利用者は、接続しようとする公開サイトの情報を、該公開サイトへ接続する前に予め確認することができる。したがって、不正な公開サイト（当該情報コードＣが付された広告等の内容とは関係の無い公開サイトや、正規の公開サイトに似せた「なりすまし」公開サイト）への接続を未然に防ぐことができ、不正な情報コードから利用者を保護することができる。さらに、管理サーバ２のアドレス情報は、情報コードＣの非公開領域Ｃｂに記録されているので、管理サーバ２の情報が外部に晒される虞がなく、セキュリティ性を高めることができる。
【００４５】
また、携帯端末１０は、非公開領域Ｃｂに記憶されている管理サーバ２のアドレス情報が取得された場合に、操作部１４による外部操作を条件とせず利用者への確認を省略して自動的に管理サーバ２に接続するようにしている。さらに、携帯端末１０では、管理サーバ２から表示データを受信した場合に、操作部１４による外部操作を条件とせず利用者への確認を省略して自動的に表示データに基づく情報を表示部１３に表示するようにしている。
このように、携帯端末１０では、一部非公開コードＣを読み取ると、利用者への確認を省略して自動的に公開サイトの情報を表示部１３に表示するようにしているので、携帯端末１０の利用者の利便性を図ることができる。また、管理サーバ２の存在が第３者（例えば悪意を持った者）に知られ難いため、セキュリティ性をより高めることができる。
【００４６】
また、管理サーバ２側には、公開サイトに接続可能な管理用携帯端末２０と、当該管理サーバ２が公開サイトへ接続を試みたときに接続が拒否されたか否かを判断する判断手段（制御部３）とが設けられている。また、管理用携帯端末２０は、判断手段により公開サイトへの接続が拒否されたと判断された場合に、公開サイトのアドレス情報に基づいて当該公開サイトに接続し、且つ当該公開サイトの表示情報を取得するようにしている。さらに、管理サーバ２では、管理用携帯端末２０が公開サイトの表示情報を取得した場合に、当該表示情報に基づいて表示データを生成するようにしている。
この構成によれば、利用者が接続しようとする公開サイトが携帯端末向けの専用サイト（いわゆる携帯専用サイト）であり、管理サーバ２がこの公開サイトへ接続を試みたときに接続が拒否された場合でも、管理サーバ２側に設けられる管理用携帯端末２０により当該公開サイトの表示情報を確実に取得することができるため、携帯端末１０の利用者の利便性をより図ると共に、不正な情報コードから利用者を保護することがより可能となる。
【００４７】
また、管理サーバ２は、同一の携帯端末１０から同一の公開サイトのアドレス情報を、所定回数を超えて受信したと判定手段（制御部３）により判定された場合に、加工手段（制御部３）によって生成された表示データの送信を省略するようにしている。さらに、携帯端末１０では、管理サーバ２による表示データの送信が省略された場合に、通信部１６によって公開サイトで公開される表示情報を取得するようにしている。
この構成では、同一の携帯端末１０から、同一の公開サイトへ頻度高く（所定回数を超えて）接続されている場合には、その公開サイトが適正なサイトであるとみなし、管理サーバ２側から携帯端末１０側への表示データの送信を省略するようにしている。これにより、不正な情報コードから利用者を保護しつつ、管理サーバ２と携帯端末１０の負荷を減らすことができ、携帯端末１０の利用者の利便性をより図ることができる。
【００４８】
［他の実施形態］
本発明は上記記述及び図面によって説明した実施形態に限定されるものではなく、例えば次のような実施形態も本発明の技術的範囲に含まれる。
【００４９】
上記実施形態では、管理サーバ２において同一の携帯端末１０から同一の公開サイトのアドレス情報を、所定回数を超えて受信したと判定した場合には、ステップＳ９〜Ｓ１２の処理を省略するようにしたが、これに限らず、例えば、携帯端末１０側において、同一の公開サイトのアドレス情報を管理サーバ２へ所定回数を超えて送信したか否かを判定するようにしてもよく、この場合も同様にステップＳ９〜Ｓ１２の処理を省略することができる。
【００５０】
上記実施形態では、管理サーバ２から送信された表示データを携帯端末１０の記憶部１５に記憶するようにしてもよい。そして、同一の携帯端末１０から同一の公開サイトのアドレス情報を、所定回数を超えて受信したと管理サーバ２で判定された場合には、この記憶部１５に記憶される該公開サイトの表示データを読み出し、表示部１３に表示するようにしてもよい（すなわち、管理サーバ２によって表示データの送信が省略された場合には、以前に取得した該公開サイトの表示データを携帯端末１０の表示部１３に表示するようにしてもよい）。
【００５１】
上記実施形態では、管理サーバ２側に管理用携帯端末２０が設けられており、ステップＳ１０にて公開サイトへの接続が拒否されたと判断された場合に、この管理用携帯端末２０により公開サイトへ接続し表示情報を取得するようにしたが、管理サーバ２側に管理用携帯端末２０が設けられていない構成としてもよい。そして、ステップＳ１０にて公開サイトへの接続が拒否されたと判断された場合には（Ｓ１０でＹｅｓ）、公開サイトへの接続を行わず、ステップＳ１５にて非アクセス領域内の情報を消去し終了するようにしてもよい。
【符号の説明】
【００５２】
１…情報提供システム
２…管理サーバ
３…制御部（加工手段、判定手段、判断手段）
４…表示部
５…記憶部
６…操作部
７…通信部（管理サーバ側接続手段）
１０…携帯端末
１１…制御部（所定情報検出手段、解読手段）
１２…撮像部（撮像手段）
１３…表示部（表示手段）
１４…操作部（操作手段）
１５…記憶部（解読キー記憶手段）
１６…通信部（携帯側接続手段）
２０…管理用携帯端末
Ｃ…情報コード（一部非公開コード）
Ｃａ…公開領域
Ｃｂ…非公開領域
Ｔ…サムネイル（表示データ）
【図１】
0005737116.tif 000002
【図２】
0005737116.tif 000003
【図３】
0005737116.tif 000004
【図４】
0005737116.tif 000005
【図５】
0005737116.tif 000006
【図６】
0005737116.tif 000007
【図７】
0005737116.tif 000008
【図８】
0005737116.tif 000009
【図９】
0005737116.tif 000010
【図１０】
0005737116.tif 000011